【事件の表示】
　特許第３２０８７５１号「光学ピックアップ」の請求項１ないし３に係る特許に対する特許異議の申立てについて、次のとおり決定する。
【結　論】
　訂正を認める。
　特許第３２０８７５１号の請求項１に係る特許を維持する。
【理　由】
１　経緯
　特許出願　　　　　　　　　　　　　　　平成　５年　３月２３日
　設定登録（特許第３２０８７５１号）　　平成１３年　７月１３日
　特許異議申立（小野浩一）　　　　　　　平成１４年　３月１５日
　取消理由通知　　　　　　　　　　　　　平成１４年　６月　５日
　特許異議意見書・訂正請求　　　　　　　平成１４年　８月１９日
　
２　訂正請求の可否
（１）訂正請求の概要
ａ　訂正事項１
　特許された特許請求の範囲請求項１
「【請求項１】 対物レンズを保持するレンズ保持部材と、
　一端が上記レンズ保持部材に取り付けられ、他端が固定部に取り付けられて上記レンズ保持部材を移動可能に支持する弾性部材と、
　コイルが取り付けられ、かつこのコイルの巻き線の端末を巻き付けるための端子ピンが設けられたコイルボビンと
　を有し、
　上記端子ピンと上記弾性部材とが直接接続されている
　ことを特徴とする、光学ピックアップ。」を、
「【請求項１】 対物レンズを保持するレンズ保持部材と、
　
コイルボビンの端子ピンと接続される、他の部分より拡大された接続部分を有すると共に、上記対物レンズ保持部材及び取付部と一体に成形されることで、
の上記取付部
て、
　
上記レンズ保持部材と別体に形成されるとともに、
を備え、上記レンズ保持部材の開口部に挿入される
　を有し、
　
上記端子ピンを上記弾性部材の上記拡大された接続部分に載せることのより、
　ことを特徴とする、光学ピックアップ。」（以下、訂正発明という。下線部は訂正された事項に相当し、整理のために付与した。）と訂正する。
　
ｂ　訂正事項２
　訂正事項１の伴い、発明の詳細な説明の欄【００１０】
「【課題を解決するための手段】上記目的は、請求項１の発明によれば、対
物レンズを保持するレンズ保持部材と、一端が上記レンズ保持部材に取り
付けられ、他端が固定部に取り付けられて上記レンズ保持部材を移動可能
に支持する弾性部材と、コイルが取り付けられ、かつこのコイルの巻き線
の端末を巻き付けるための端子ピンが設けられたコイルボビンとを有し、
上記端子ピンと上記弾性部材とが直接接続されている、光学ピックアップにより、達成される。」を、
「【課題を解決するための手段】対物レンズを保持するレンズ保持部材と、
コイルボビンの端子ピンと接続される、他の部分より拡大された接続部分を有すると共に、上記対物レンズ保持部材及び取付部と一体に成形されることで、
の上記取付部
て、
上記レンズ保持部材と別体に形成されるとともに、
を備え、上記レンズ保持部材の開口部に挿入される
上記端子ピンを上記弾性部材の上記拡大された接続部分に載せることのより、
【００１４】
「請求項２の構成によれば、上記弾性部材が、板バネであって、上記端子ピンと接続される部分が上記板バネの他の部分と比べて面積が大きく形成されている。このため、この端子ピンは、弾性部材に対して、容易にハンダ付けされる。」を、
「
また、請求項１の構成によれば、
【００１５】
「請求項３の構成によれば、上記固定部に上記弾性部材を固定保持するための取り付け部と、上記レンズ保持部材とが、上記弾性部材に対して一体的に成形されている。このため、一度の成形工程によって、弾性部材とレンズホルダー及びこの取付部とが、互いに一体成形される。」を、
「
さらに、請求項１の構成によれば、
　
ｃ　訂正事項３
　特許された特許請求の範囲請求項２を削除する。これに伴い、発明の詳細な説明の欄【００１１】を削除する。
　
ｄ　訂正事項４
　特許された特許請求の範囲請求項３を削除する。これに伴い、発明の詳細な説明の欄【００１２】を削除する。
　
（２）訂正目的の検討
ａ　訂正事項１について
　訂正された部分は、弾性部材の構造、コイルボビンの構造、接続構造を限定するものであり、特許請求の範囲の減縮に該当する。
ｂ　訂正事項２について
　訂正事項１の伴い、発明の詳細な説明を訂正するもので、明りょうでない記載の釈明に該当する。
ｃ　訂正事項３について
　請求項の削除は、特許請求の範囲の減縮に該当し、発明の詳細な説明の訂正は、明りょうでない記載の釈明に該当する。
ｄ　訂正事項４について
　請求項の削除は、特許請求の範囲の減縮に該当し、発明の詳細な説明の訂正は、明りょうでない記載の釈明に該当する。
ｅ　そして、訂正事項１〜４はいずれも、新規事項の追加に該当せず、また、実質上特許請求の範囲を拡張しまたは変更するものでもない。
　
（３）訂正請求の取扱
 　以上のとおりであるから、上記訂正は特許法等の一部を改正する法律（平成六年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書き、第２項及び第３項の規定に適合するので、当該訂正を認める。
　
３　本件発明
　訂正が認められるので、本件特許の特許請求の範囲請求項１に係る発明は、訂正請求書に記載された次のとおりのものである。
「【請求項１】 対物レンズを保持するレンズ保持部材と、
　
コイルボビンの端子ピンと接続される、他の部分より拡大された接続部分を有すると共に、上記対物レンズ保持部材及び取付部と一体に成形されることで、
の上記取付部
て、
　
上記レンズ保持部材と別体に形成されるとともに、
を備え、上記レンズ保持部材の開口部に挿入される
　を有し、
　
上記端子ピンを上記弾性部材の上記拡大された接続部分に載せることのより、
　ことを特徴とする、光学ピックアップ。」
　
４　異議申立理由及び取消理由の概要
（１）異議申立理由
　異議申立人小野浩一は、引用例１　実願昭６２−１３８５４６号（実開昭６４−４５３１６号）のマイクロフィルム　（＝甲第１号証）、　引用例２　特開平２−１５２０２７号公報（＝甲第２号証）、　引用例３　特開平５−５４４２５号公報（＝甲第３号証）、　引用例４　特願平４−３２９４９３号（特開平６−１７６３８８号公報参照）（＝甲第４号証）を提出し、訂正発明は、引用例１〜３記載の発明に基づいて当業者が容易に発明をすることができたものであり、また、引用例４記載の発明と同一であるから、取り消されるべきであると主張している。
　また、明細書及び図面の記載が不明瞭であると主張している。
　
（２）取消理由
　上記不明瞭であるとの主張を除いて、異議申立理由と同旨。
　
４　引用例記載の発明
（１）引用例１　実願昭６２−１３８５４６号（実開昭６４−４５３１６号）のマイクロフィルム　（＝甲第１号証）
　引用例１は光学式ピックアップ装置に関するものであり、その第４頁第３行〜第５頁第９行、第１図及び第２図には、「・・・ボビン１はコイルを取り付ける略Ｈ字状の取付部２と、対物レンズを取り付ける円筒部３と、サスペンションを取り付ける取付部４とを有しており、これらは合成樹脂により一体成形される。・・・７は取付部４上に接着された銅板（導電材料）であり、コイル１１及び１２の端部が独立に通電できるように接続されている。・・・２４は少なくともその一部が銅板等の導電材料よりなるサスペンションであり、その端部が固定部２７と取付部４上の銅板７にハンダ固定され、」と記載されている。
　
（２）引用例２　特開平２−１５２０２７号公報（＝甲第２号証）
　引用例２の第４頁右下欄第１７行〜第５頁左上欄第５行及び第４図には、「また、ボビン４０の上側のフランジ４２には、溝４１ａ近傍の位置にガイド用突起４３と係止用突起４４が所定の間隔を介して設けられており、また溝４１ｂ近傍の位置に係止用突起４５とガイド用突起４６が所定の間隔を介して設けられている。また、フランジ４２の各端部には、長手方向の一方に係止用突起４７とガイド用突起４８が、他方にガイド用突起４９と係止用突起５０が、それぞれ設けられている。」と記載されている。
　
（３）引用例３　特開平５−５４４２５号公報（＝甲第３号証）
　引用例３の第２頁右欄【０００９】及び図１には、「・・・これら上下２本ずつのワイヤー１に成形機４内において樹脂部材からなる後述するコイルボビンを兼ねる可動体５及びこの可動体５を上述したワイヤー１を介して移動可能に支持するための固定支持体６が図１に示すようにアウトサート成形によりそれぞれモールド成形される。」と記載されている。
　
（４）引用例４　特願平４−３２９４９３号（特開平６−１７６３８８号公報参照）（＝甲第４号証）　
　引用例４は対物レンズアクチュエータに関するものであり、その第２頁右欄第３９行〜第３頁右欄第４０行、図１及び図３には、「【００１４】・・・このボビン１の中央には対物レンズ載置台２が形成されており、」、「１０は、ボビン１を支持し、かつ非導電性材料からなる支持部材を示す。１６は平面視略Ｕ字型の板バネを示す。上記した板バネ１６は、ボビン１を上下から挟むように２枚、変形部１６０の自由端孔部１７ａ、１７ａを突部９ａ、９ａに挿通し、この突部９ａ、９ａの頭部をレーザにより溶接することでボビン１に固定される。…一方、変形部１６ｃの自由端がつば部Ｂの延出部７，７に取り付けられた板バネ１６の固定部１６ａ両端の孔部１７ｂ、１７ｂもまた、第１凹部１２に立設された金属ビン１５、１５に種通され、溶接により固定されることで、ボビン１は、板バネ１６を介して支持部材１０に固定される。」、「９は、貫通孔８に挿通、固定された金属ビンを示し、この金属ビン９の両端は延出部７の上下面より突出している。…９ａは金属ビン９における外側に突出した突部、９ｂは内側に突出した突部を示す。金属ビン９の内側の突部９ｂ頭部には、係止部であるスリット９ｃが形成されている。
　そして突部９ｂおよびスリット９ｃにコイル端子２５が巻き付けられ、」及び「上記した板バネ１６は、ボビン１を上下から挟むように２枚、変形部１６ｃの自由端孔部１７ａ、１７ａを突部９ａ、９ａに挿通し、この突部９ａ、９ａの頭部をレーザにより溶接することでボビン１に固定される。」と記載されている。
５　訂正発明と引用例との対比
　訂正発明は、「
コイルボビンの端子ピンと接続される、他の部分より拡大された接続部分を有する
端子ピンを上記弾性部材の上記拡大された接続部分に載せることのより、
　引用例４には、その明細書には、接続される部分が板ばねの他の部分と比べて面積が大きく形成されていることは明記されておらず、図面から読みとることはできない。
　それゆえに、上記引用例１〜４には、その構成は記載されておらず、訂正発明は、引用例１〜４と同一とはいえず、また、上記効果を奏し、引用例１〜３記載の発明に基づいて当業者が容易に発明をすることができたものであるとすることもできない。
　
６　記載不明瞭について
　コイルボビンの端子から、弾性部材を介して、固定と電気的接続を行えることは周知であり、また、訂正発明には、端子ピンを載せることと、接続することが明記されており、接続は電気的接続であることは明らかであるので、不明瞭な個所はない。
　
７　まとめ
　従って、異議申立人が主張する取消理由及び当審が通知した取消理由には、いずれも理由がなく、また、他に取り消すべき理由を発見しない。
　よって、上記結論のとおり決定する。
【異議決定日】
平成１４年１１月１９日（２００２．１１．１９）
【訂正の要旨】
ａ　訂正事項１
　特許された特許請求の範囲請求項１
「【請求項１】　対物レンズを保持するレンズ保持部材と、
　一端が上記レンズ保持部材に取り付けられ、他端が固定部に取り付けられて上記レンズ保持部材を移動可能に支持する弾性部材と、
　コイルが取り付けられ、かつこのコイルの巻き線の端末を巻き付けるための端子ピンが設けられたコイルボビンと
　を有し、
　上記端子ピンと上記弾性部材とが直接接続されている
　ことを特徴とする、光学ピックアップ。」を、特許請求の範囲の減縮を目的として、
「【請求項１】　対物レンズを保持するレンズ保持部材と、
　コイルボビンの端子ピンと接続される、他の部分より拡大された接続部分を有すると共に、上記対物レンズ保持部材及び取付部と一体に成形されることで、一端が上記レンズ保持部材に取り付けられ、他端が固定部の上記取付部に取り付けられて、上記レンズ保持部材を移動可能に支持する弾性部材と、
　上記レンズ保持部材と別体に形成されるとともに、コイルが取り付けられ、かつこのコイルの巻き線の端末を巻き付けるための端子ピンを備え、上記レンズ保持部材の開口部に挿入されるコイルボビンと
　を有し、
　上記端子ピンを上記弾性部材の上記拡大された接続部分に載せることのより、上記端子ピンと上記弾性部材とが直接接続されている
　ことを特徴とする、光学ピックアップ。」と訂正する。
ｂ　訂正事項２
　訂正事項１の伴い、発明の詳細な説明の欄【００１０】
「【課題を解決するための手段】上記目的は、請求項１の発明によれば、対物レンズを保持するレンズ保持部材と、一端が上記レンズ保持部材に取り付けられ、他端が固定部に取り付けられて上記レンズ保持部材を移動可能に支持する弾性部材と、コイルが取り付けられ、かつこのコイルの巻き線の端末を巻き付けるための端子ピンが設けられたコイルボビンとを有し、上記端子ピンと上記弾性部材とが直接接続されている、光学ピックアップにより、達成される。」を、明りょうでない記載の釈明を目的として、
「【課題を解決するための手段】対物レンズを保持するレンズ保持部材と、コイルボビンの端子ピンと接続される、他の部分より拡大された接続部分を有すると共に、上記対物レンズ保持部材及び取付部と一体に成形されることで、一端が上記レンズ保持部材に取り付けられ、他端が固定部の上記取付部に取り付けられて、上記レンズ保持部材を移動可能に支持する弾性部材と、上記レンズ保持部材と別体に形成されるとともに、コイルが取り付けられ、かつこのコイルの巻き線の端末を巻き付けるための端子ピンを備え、上記レンズ保持部材の開口部に挿入されるコイルボビンとを有し、上記端子ピンを上記弾性部材の上記拡大された接続部分に載せることのより、上記端子ピンと上記弾性部材とが直接接続されている、光学ピックアップにより、達成される。」と訂正し、
　【００１４】
「請求項２の構成によれば、上記弾性部材が、板バネであって、上記端子ピンと接続される部分が上記板バネの他の部分と比べて面積が大きく形成されている。このため、この端子ピンは、弾性部材に対して、容易にハンダ付けされる。」を、明りょうでない記載の釈明を目的として、
「また、請求項１の構成によれば、上記弾性部材が、板バネであって、上記端子ピンと接続される部分が上記板バネの他の部分と比べて面積が大きく形成されている。このため、この端子ピンは、弾性部材に対して、容易にハンダ付けされる。」と訂正し、
　【００１５】
「請求項３の構成によれば、上記固定部に上記弾性部材を固定保持するための取り付け部と、上記レンズ保持部材とが、上記弾性部材に対して一体的に成形されている。このため、一度の成形工程によって、弾性部材とレンズホルダー及びこの取付部とが、互いに一体成形される。」を、明りょうでない記載の釈明を目的として、
「さらに、請求項１の構成によれば、上記固定部に上記弾性部材を固定保持するための取り付け部と、上記レンズ保持部材とが、上記弾性部材に対して一体的に成形されている。このため、一度の成形工程によって、弾性部材とレンズホルダー及びこの取付部とが、互いに一体成形される。」と訂正する。
ｃ　訂正事項３
　特許された特許請求の範囲請求項２を特許請求の範囲の減縮を目的として、削除する。これに伴い、発明の詳細な説明の欄【００１１】を明りょうでない記載の釈明を目的として、削除する。
ｄ　訂正事項４
　特許された特許請求の範囲請求項３を特許請求の範囲の減縮を目的として、削除する。これに伴い、発明の詳細な説明の欄【００１２】を明りょうでない記載の釈明を目的として、削除する。
（５４）【発明の名称】
光学ピックアップ
（５７）【特許請求の範囲】
　【請求項１】　対物レンズを保持するレンズ保持部材と、
　
コイルボビンの端子ピンと接続される、他の部分より拡大された接続部分を有するとともに、上記対物レンズ保持部材及び取付け部と一体に成形されることで、
の上記取付け部
て、
　
上記レンズ保持部材と別体に形成されるとともに、
備え、上記レンズ保持部材の開口部に挿入される
　を有し、
　
上記端子ピンを上記弾性部材の上記拡大された接続部分に載せることにより、
　ことを特徴とする、光学ピックアップ。
【発明の詳細な説明】
　【０００１】
　【産業上の利用分野】
　本発明は、情報記録媒体の信号を記録もしくは再生するために使用される光学ピックアップに関するものである。
　【０００２】
　【従来の技術】
　従来、このような光学ピックアップを構成する二軸アクチュエータは、光ディスクのような情報記録媒体の信号を記録再生するために使用されている。そして、このアクチュエータは、支持部材に設けられた対物レンズを、フォーカシング方向及びトラッキング方向の二方向に対して移動させ得るようになっている。
　【０００３】
　このような二軸アクチュエータは、例えば図３に示すように構成されている。すなわち、図３において、二軸アクチュエータ１は、レンズホルダー２と、このレンズホルダー２に対して、接着等により取り付けられたコイルボビン３とを含んでいる。
　【０００４】
　上記レンズホルダー２は、図示しないベース部に対して、このベース部に張られたワイヤ４によって、このワイヤ４に対して垂直な二方向、すなわち矢印Ａで示すトラッキング方向及び、矢印Ｂで示すフォーカシング方向に移動可能に支持されている。
　【０００５】
　また、上記コイルボビン３は、フォーカシング用コイル及びトラッキング用コイルが巻回されている。そして、各コイルの巻線の端末は、このコイルボビン３の側方に突出するように設けられた４本の端子ピン３ａに対して、それぞれ巻回されている。
　【０００６】
　このように構成された二軸アクチュエータ１においては、コイルボビン３に巻回された各コイルの配線は、リッツ線５の一端を上記端子ピン３ａにからげると共に、このリッツ線５の他端を、図示しないベース部に設けられた端子部に接続することにより、行なわれる。
　【０００７】
　これにより、外部から、各コイルに駆動電圧が供給されて、このコイルボビン３が、図面Ａ，Ｂ方向に対して移動される。かくして、レンズホルダー２に取り付けられた対物レンズ（図示せず）が、フォーカシング方向及びトラッキング方向に対して適宜に移動されるようになっている。
　【０００８】
　【発明が解決しようとする課題】
　しかしながら、このような構成の二軸アクチュエータ１においては、ベース部への配線が、コイルボビン３に設けられた各端子ピンとベース部の端子との間を、それぞれリッツ線によって接続している。
　このため、リッツ線を上記端子ピンにからげる作業と、リッツ線をハンダ付けする作業が必要である。従って、作業性が悪く、組立コストが高く成ってしまうと共に、上記リッツ線が断線するおそれがあるという問題があった。
　【０００９】
　本発明は、以上の点に鑑み、コイルボビンに巻回された各コイルの配線が容易に行なわれ得ると共に、組立の自動化が可能であるようにした、光学ピックアップを提供することを目的としている。
　【００１０】
　【課題を解決するための手段】
　上記目的は、請求項１の発明によれば、対物レンズを保持するレンズ保持部材と、
コイルボビンの端子ピンと接続される、他の部分より拡大された接続部分を有するとともに、上記対物レンズ保持部材及び取付け部と一体に成形されることで、
の上記取付け部
て、
上記レンズ保持部材と別体に形成されるとともに、
備え、上記レンズ保持部材の開口部に挿入される
上記端子ピンを上記弾性部材の上記拡大された接続部分に載せることにより、
　【００１１】
　【００１２】
　【００１３】
　【作用】
　請求項１の上記構成によれば、コイルボビンに巻回された各コイルは、コイルボビンの端子ピンから、直接に弾性部材を介して、固定部への取付部に電気的に接続されることになる。これにより、固定部側から、上記弾性部材を介して、各コイルに対して、駆動電圧が供給される。
　【００１４】
　
また、請求項１の構成によれば、
　【００１５】
　
さらに、請求項１の構成によれば、
　【００１６】
　【実施例】
　以下、この発明の好適な実施例を図１乃至図２を参照しながら、詳細に説明する。
　尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
　【００１７】
　図１は、本発明による光学ピックアップを構成する二軸アクチュエータの一実施例を示している。図１において、二軸アクチュエータ１０は、レンズホルダー１１と、このレンズホルダー１１に対して、取り付けられるコイルボビン１２と、このレンズホルダー１１を一端で支持するリン青銅等から成る弾性部材としての４本の板バネ１３と、これらの板バネ１３の他端をベース部等の固定側に固定保持する取付部１４とから構成されている。
　【００１８】
　上記レンズホルダー１１は、図２に示すように、長尺に形成された４本の板バネ１３に対して、ＰＰＳ，ポリカーボネイト等から、アウトサート成形等により一体成形されている。
　そして、この板バネ１３の他端の取付部１４が図示しないベース部に固定的に取り付けられることにより、矢印Ａで示すトラッキング方向及び、矢印Ｂで示すフォーカシング方向に移動可能に支持されている。
　【００１９】
　また、上記コイルボビン１２は、フォーカシング用コイル及びトラッキング用コイルが巻回されている。そして、各コイルの巻線の端末は、このコイルボビン１２の側方に突出するように設けられた４本の端子ピン１２ａに対して、それぞれ巻回されている。
　【００２０】
　この場合、コイルボビン１２に対する各コイルの巻回作業及びコイル巻線の端末の端子ピン１２ａへのからげ作業は、従来と同様に、自動化が可能である。
　【００２１】
　このコイルボビン１２は、レンズホルダー１１に対して、所定位置に組み込まれたとき、その端子ピン１２ａが、レンズホルダー１１に対して一体成形された板バネ１３の拡大された端部１３ａに当接するようになっている。
　【００２２】
　この状態で、この端子ピン１２ａが弾性部材の端部１３ａにハンダ付けされることにより、コイルボビン１２は、レンズホルダー１１に対して固定保持されると共に、各コイルが、端子ピン１２ａから、板バネ１３を介して、ベース部に対して電気的に接続されるようになっている。
　【００２３】
　この場合、コイルボビン１２の各端子ピン１２ａの板バネ１３の端部１３ａへのハンダ付けは、自動化が可能である。
　【００２４】
　さらに、上記取付部１４は、例えばレンズホルダー１１の成形時に、同時に、板バネ１３に対して、アウトサート成形等により一体成形される。従って、図２の下方に示すように、板バネ１３に対して、レンズホルダー１１及び取付部１４が、アウトサート成形によって一体成形されるので、自動化が可能である。
　【００２５】
　本実施例による二軸アクチュエータ１０は、以上のように構成されており、組立の場合には、先づ板バネ１３に対して、レンズホルダー１１及び取付部１４をアウトサート成形により一体成形する。
　続いて、このレンズホルダー１１に対して、前以てコイルを巻回してあるコイルボビン１２を、所定位置に挿入して、その端子ピン１２ａを、板バネ１３の端部１３ａにハンダ付けする。
　【００２６】
　これにより、コイルボビン１２の各コイルの巻線は、端子ピン１２ａから、板バネ１３を介して、ベース部に固定されるべき取付部１４まで取り出されることになる。
　【００２７】
　このようにして構成されたに軸アクチュエータ１０は、各コイルへの給電が、板バネ１３を介して行なわれるため、断線するようなことはない。また、各工程がすべて自動化されるので、組立が短時間で且つ簡単に行なわれ得ることになる。
　【００２８】
　このように、本実施例では、コイルボビンに巻回された各コイルは、コイルボビンの端子ピンから、直接に弾性部材を介して、固定部への取付部に電気的に接続されるので、端子ピンから固定部への配線作業が不要になる。さらに、コイルボビンの取付は、その端子ピンの弾性部材へのハンダ付けによって行なわれ得るので、接着剤等による取付作業も不要になる。従って、組立作業が容易になる。
　【００２９】
　上記弾性部材が、板バネであって、コイルボビンの端子ピンが接続されるべき部分が、広く形成されている場合には、この端子ピンは、弾性部材に対して、容易にハンダ付けされるので、作業性が向上されることになる。
　【００３０】
　また、上記レンズホルダー及び固定部への取付部が、弾性部材に対して、アウトサート成形されている場合には、一度の成形工程によって、弾性部材とレンズホルダー及びこの取付部の組立が行なわれ得るので、組立作業がより一層簡単になる。
　【００３１】
　【発明の効果】
　以上述べたように、本発明によれば、コイルボビンに巻回された各コイルの配線が簡単で、しかも、組立の自動化が可能であるようにした、光学ピックアップを提供することができる。
【図面の簡単な説明】
　【図１】
　本発明による光学ピックアップを構成する二軸アクチュエータの一実施例を示す概略斜視図である。
　【図２】
　図１の光学ピックアップを構成する二軸アクチュエータのコイルボビンを外した状態を示す分解斜視図である。
　【図３】
　従来の光学ピックアップを構成する二軸アクチュエータの一例を示す概略斜視図である。
　【符号の説明】
　１０　　二軸アクチュエータ
　１１　　レンズホルダー
　１２　　コイルボビン
　１２ａ　端子ピン
　１３　　弾性部材
　１３ａ　端部
　１４　　取付部